(57)【特許請求の範囲】
【請求項１】
建物開口部に設置される第１窓部と、この第１窓部の屋内側に設けられる第２窓部とを備えた建具であって、
前記第１窓部は、前記建物開口部に固定される第１枠体と、この第１枠体に支持される第１面材とを備え、前記第１枠体の屋内側に沿った内装材に当該第１枠体が固定され、
前記第２窓部は、前記内装材に固定される額縁材と、この額縁材に固定される第２枠体と、この第２枠体に支持される第２面材とを備えて構成され、
前記額縁材は、前記内装材の見付け方向内側の第１見込み面に固定されるとともに、当該額縁材の見付け方向内側の第２見込み面に前記第２枠体が固定され、当該額縁材の屋外側端部には、前記第２見込み面から見付け方向外側に後退しかつ屋外側見付け面に至る段差部が形成されている建具。
【請求項２】
前記段差部は、前記第２見込み面と交差する立下り面と前記屋外側見付け面から見込み方向屋内側に延びて前記立下り面に連続する平坦面とを有した第１形態、前記立下り面と前記平坦面とを結ぶ曲面または傾斜面を有した第２形態、および前記第２見込み面から前記屋外側見付け面に延びる傾斜面を有した第３形態、のいずれかの形態を備えて構成されている請求項１に記載の建具。
【請求項３】
前記額縁材は、前記段差部を貫通する固着具を介して前記内装材に固定されている請求項１または請求項２に記載の建具。
【請求項４】
前記段差部は、前記第１枠体の屋内側における見付け方向内方への出隅部の角と、前記第２枠体の屋外側における見付け方向内側端と、を通る平面よりも見付け方向外側に位置して設けられている請求項１から請求項３のいずれかに記載の建具。
【請求項５】
前記額縁材は、前記第１枠体における前記出隅部の屋内側端縁に前記屋外側見付け面を当接させて設けられている請求項４に記載の建具。
【請求項６】
建物開口部に設置される第１窓部の屋内側に第２窓部を取り付ける建具の施工方法であって、
前記第１窓部は、前記建物開口部に固定される第１枠体と、この第１枠体に支持される第１面材とを備え、前記第１枠体の屋内側に沿った内装材に当該第１枠体が固定され、
前記内装材の見付け方向内側の第１見込み面に前記第２窓部の額縁材を固定し、この額縁材の見付け方向内側の第２見込み面に前記第２窓部の第２枠体を固定し、この第２枠体に前記第２窓部の第２面材を支持させ、
前記額縁材の屋外側端部には、前記第２見込み面から見付け方向外側に後退しかつ屋外側見付け面に至る段差部を予め形成しておく建具の施工方法。
【発明の詳細な説明】
【技術分野】
【０００１】
本発明は、建物開口部に設置される第１窓部と、この第１窓部の屋内側に設けられる第２窓部とを備えた所謂二重窓に類する建具および建具の施工方法に関する。
【背景技術】
【０００２】
従来、建物開口部に設置された既設の窓の屋内側に新設の窓を取り付けて二重窓を構成するための構造が提案されている（例えば、特許文献１参照）。
特許文献１に記載の建具では、既設の窓の屋内側に位置する額縁材に新設のふかし枠を固定し、このふかし枠に新設の障子を建て込むことで二重窓が構成されている。ふかし枠は、額縁材の屋内側見付け面（端面）に沿って固定される固定部材と、この固定部材を覆うカバー部材と、固定部材の見付け方向内側面に固定される枠材（レール材および当接材）とを備えて構成され、この枠材に新設の障子が支持されるようになっている。
【先行技術文献】
【特許文献】
【０００３】
【特許文献１】特開２００７−２９７８３１号公報
【発明の概要】
【発明が解決しようとする課題】
【０００４】
しかしながら、特許文献１に記載されたような従来の二重窓では、新設のふかし枠が既設の額縁材の屋内側に固定されるため、新設の窓が屋内側に大きく突出してしまい、屋内の有効空間が狭められてしまうという不都合が生じる。また、既設の額縁材の厚さ寸法（端面の見付け幅）が規格外であったり、額縁材の形態が特殊であった場合には、固定部材が固定できなかったり、ふかし枠が額縁材よりも大きくはみ出してしまったりなど、取付上の制約を受けることとなる。さらに、既設の窓が直交する内壁に近接して設けられている場合には、この内壁とふかし枠とが干渉して新設の窓を取り付けることが困難となる場合もある。
【０００５】
本発明の目的は、取付上の制約を緩和することができるとともに、屋内側への窓部の突出量を小さくして屋内空間を有効に利用できかつ利便性も向上させることができる建具および建具の施工方法を提供することにある。
【課題を解決するための手段】
【０００６】
本発明の建具は、建物開口部に設置される第１窓部と、この第１窓部の屋内側に設けられる第２窓部とを備えた建具であって、前記第１窓部は、前記建物開口部に固定される第１枠体と、この第１枠体に支持される第１面材とを備え、前記第１枠体の屋内側に沿った内装材に当該第１枠体が固定され、前記第２窓部は、前記内装材に固定される額縁材と、この額縁材に固定される第２枠体と、この第２枠体に支持される第２面材とを備えて構成され、前記額縁材は、前記内装材の見付け方向内側の第１見込み面に固定されるとともに、当該額縁材の見付け方向内側の第２見込み面に前記第２枠体が固定され、当該額縁材の屋外側端部には、前記第２見込み面から見付け方向外側に後退しかつ屋外側見付け面に至る段差部が形成されていることを特徴とする。
【０００７】
ここで、本発明の建具において、第１窓部および第２窓部における面材の開閉形式は特に限定されるものではなく、引違い形式や片引き形式、開き形式など各種の開閉形式が利用可能であるとともに、第１および第２の窓部が開閉不能な面材を有した嵌め殺し窓であるか、第１の窓部が嵌め殺し窓であってもよい。また、内装材や額縁材は、それぞれ矩形状に上下左右の四周連続して設けられるものであってもよいし、上および左右の三方に設けられるものであってもよい。また、本発明の第２窓部は、既設の第１窓部に対して後から取り付けられるものでもよいし、第１および第２の窓部がともに新設として建物開口部に設置されるものでもよい。
【０００８】
以上の本発明によれば、内装材の見付け方向内側の第１見込み面に額縁材を固定し、この額縁材に第２枠体を固定することで、第２窓部の屋内側への突出量を小さくすることができ、屋内空間の有効利用を図ることができる。さらに、内装材の第１見込み面は、その見付け面（端面）よりも見込み方向（屋内外方向）に広い面積を有し、かつ平坦に形成されていることが一般的であり、このような広くかつ平坦な第１見込み面に額縁材を固定することで、第２窓部の取付上の自由度を高めることができるとともに、近接した内壁があってもその影響を受けないことから取付上の制約を緩和することができる。また、額縁材の屋外側端部に段差部を形成したことで、屋内側から第１窓部を開閉操作する際に額縁材の屋外側の角部が邪魔になることがなく、操作性を阻害せずに利便性を向上させることができる。
【０００９】
この際、本発明の建具では、前記段差部は、前記第２見込み面と交差する立下り面と前記屋外側見付け面から見込み方向屋内側に延びて前記立下り面に連続する平坦面とを有した第１形態、前記立下り面と前記平坦面とを結ぶ曲面または傾斜面を有した第２形態、および前記第２見込み面から前記屋外側見付け面に延びる傾斜面を有した第３形態、のいずれかの形態を備えて構成されていることが好ましい。
このような構成によれば、第１〜第３の形態で段差部を構成することで、第１窓部に対する操作性を確保しつつ、第１窓部の開閉形式などに応じて段差部の形態を適宜に選択することで利便性を一層向上させることができる。
【００１０】
さらに、本発明の建具では、前記額縁材は、前記段差部を貫通する固着具を介して前記内装材に固定されていることが好ましい。
このような構成によれば、額縁材の屋外側端部における段差部を固定することで、固定強度を高めることができる。さらに、屋内側から固着具が見えにくくなることで、建具の意匠性を向上させることができるとともに、固着具に手や衣服が引っ掛かりにくくして操作性をさらに向上させることができる。
【００１１】
また、本発明の建具では、前記段差部は、前記第１枠体の屋内側における見付け方向内方への出隅部の角と、前記第２枠体の屋外側における見付け方向内側端と、を通る平面よりも見付け方向外側に位置して設けられていることが好ましい。
このような構成によれば、第１枠体の出隅部の角と第２枠体の見付け方向内側端とを通る平面、すなわち屋内側から第１窓部を開閉操作する際に手が通る最外位置よりも見付け方向外側に段差部を後退させることで、額縁材が操作の邪魔にならず、利便性を確保することができる。
【００１２】
この際、本発明の建具では、前記額縁材は、前記第１枠体における前記出隅部の屋内側端縁に前記屋外側見付け面を当接させて設けられていることが好ましい。
このような構成によれば、額縁材が操作の邪魔にならないように段差部を後退させつつ、屋外側見付け面が出隅部の屋内側端縁に当接するまで額縁材を屋外側に寄せて設けることで、利便性を確保しつつ第２窓部の屋内側への突出量を極力小さくすることができる。
【００１３】
一方、本発明の建具の施工方法は、建物開口部に設置される第１窓部の屋内側に第２窓部を取り付ける建具の施工方法であって、前記第１窓部は、前記建物開口部に固定される第１枠体と、この第１枠体に支持される第１面材とを備え、前記第１枠体の屋内側に沿った内装材に当該第１枠体が固定され、前記内装材の見付け方向内側の第１見込み面に前記第２窓部の額縁材を固定し、この額縁材の見付け方向内側の第２見込み面に前記第２窓部の第２枠体を固定し、この第２枠体に前記第２窓部の第２面材を支持させ、前記額縁材の屋外側端部には、前記第２見込み面から見付け方向外側に後退しかつ屋外側見付け面に至る段差部を予め形成しておくことを特徴とする。
このような発明によれば、前述と同様に、第２窓部の屋内側への突出量を小さくして屋内空間の有効利用を図ることができるとともに、第２窓部の取付上の自由度を高めて取付上の制約を緩和することができる。また、額縁材の屋外側端部に段差部が形成されているので、第１窓部の操作性を阻害せずに利便性を向上させることができる。
【図面の簡単な説明】
【００１４】
【図１】本発明の実施形態に係る建具を示す縦断面図である。
【図２】前記建具の一部を示す横断面図である。
【図３】前記建具に設けられる額縁材を示す断面図である。
【図４】前記建具の変形例を示す横断面図である。
【図５】前記額縁材の変形例を示す断面図である。
【図６】前記額縁材の他の変形例を示す断面図である。
【発明を実施するための形態】
【００１５】
以下、本発明の実施形態を図面に基づいて説明する。
図１および図２において、本実施形態に係る建具としての二重窓１は、建物開口部に設置される第１窓部である外窓２と、この外窓２の屋内側に設けられる第２窓部としての内窓１０とを備えて構成され、これらの外窓２と内窓１０との間に中間空間Ｓが形成されている。外窓２は、開口部に固定される第１枠体としての外窓枠３と、この外窓枠３に支持される第１面材としての一対の外障子４と、一対の外障子４よりも屋外側にて外窓枠３に支持される網戸５とを備え、外窓枠３の屋内側に沿った内装材としての床材６、上額縁７および縦額縁８に外窓枠３が固定されている。外窓枠３は、それぞれアルミ形材製の上枠３１、下枠３２および左右の縦枠３３を四周枠組みして構成され、一対の外障子４は、それぞれアルミ形材製の上框４１、下框４２および左右の縦框４３を四周框組みした内部にガラスパネル４４を嵌め込んで構成されている。この外窓２は、外窓枠３の内部に一対の外障子４が左右引違い形式に開閉可能に支持された引違い窓である。ここで、図２に示すように、外窓２の一方の縦枠３３側において、縦額縁８は、当該外窓２が設けられる外壁とは直交する内壁Ｗに沿って固定されている。
【００１６】
上枠３１、下枠３２および左右の縦枠３３は、それぞれ一対の外障子４および網戸５を支持する枠本体部３１１，３２１，３３１と、これらの枠本体部３１１，３２１，３３１の屋内側にて上額縁７、床材６および縦額縁８に固定される出隅部としてのアングル部３１２，３２２，３３２とを有して構成されている。すなわち、上枠３１のアングル部３１２は、屋内側の外障子４の上框４１に対向して下方に延びるとともに屋内側に折れ曲がり、この折れ曲がり部に角３１３を有して形成され、屋内側に延びた部分が上額縁７にビス止め固定されている。下枠３２のアングル部３２２は、屋内側の外障子４の下框４２に対向して上方に延びるとともに屋内側に折れ曲がり、この折れ曲がり部に角３２３を有して形成され、屋内側に延びた部分が床材６にビス止め固定されている。縦枠３３のアングル部３３２は、屋内側の外障子４の縦框４３に対向して見付け方向内方に延びるとともに屋内側に折れ曲がり、この折れ曲がり部に角３３３を有して形成され、屋内側に延びた部分が縦額縁８にビス止め固定されている。また、アングル部３３２の下端部には、結露水を受け止めて屋外側に排水するための結露水受け部品３３４が取り付けられている。
【００１７】
内窓１０は、上額縁７、床材６および縦額縁８にそれぞれ固定される上下左右の額縁材１１（１１Ａ，１１Ｂ，１１Ｃ）と、これらの額縁材１１の内部に固定される第２枠体としての内窓枠１２と、この内窓枠１２に支持される第２面材としての一対の内障子１３とを備えて構成されている。内窓枠１２は、それぞれ樹脂製の上枠１４、下枠１５および左右の縦枠１６を有して構成され、一対の内障子１３は、それぞれ樹脂製の上框１３Ａ、下框１３Ｂおよび左右の縦框１３Ｃを四周框組みした内部にガラスパネル１３Ｄを嵌め込んで構成されている。この内窓１０も外窓２と同様に、内窓枠１２の内部に一対の内障子１３が左右引違い形式に開閉可能に支持された引違い窓である。上部の額縁材１１Ａは、上額縁７の下面（見付け方向内側の第１見込み面）にビス止め固定され、下部の額縁材１１Ｂは、床材６の上面（見付け方向内側の第１見込み面）にビス止め固定され、左右の額縁材１１Ｃは、縦額縁８の内側面（見付け方向内側の第１見込み面）にビス止め固定されている。
【００１８】
上枠１４は、額縁材１１Ａに沿って見込み方向に延びるベース部１４１と、このベース部１４１から突出して内障子１３の上端縁を案内する一対の上レール１４２とを有し、額縁材１１Ａの下面（見付け方向内側の第２見込み面）にベース部１４１がビス止め固定されている。下枠１５は、額縁材１１Ｂに沿って見込み方向に延びるベース部１５１と、このベース部１５１から突出して内障子１３の下端縁を案内する一対の下レール１５２とを有し、額縁材１１Ｂの上面（見付け方向内側の第２見込み面）にベース部１５１がビス止め固定されている。縦枠１６は、額縁材１１Ｃに沿って見込み方向に延びるベース部１６１と、このベース部１６１の屋内側、中間位置、屋外側から突出する３つの突出片部１６２，１６３，１６４とを有し、額縁材１１Ｃの内側面（見付け方向内側の第２見込み面）にベース部１６１の２箇所がビス止め固定されている。
【００１９】
次に、額縁材１１の構造を図３も参照して詳しく説明する。なお、ここでは、下部の額縁材１１Ｂを例示して説明するが、上部の額縁材１１Ａおよび左右の額縁材１１Ｃも同様の構造を有している。
額縁材１１（１１Ｂ）は、木質の板状部材から構成され、内装材である床材６の上面（第１見込み面）６Ａに当接する底面部（見付け方向外側の面）１１１と、この底面部１１１に対向する上面部（第２見込み面）１１２と、屋内側の見付け面である屋内端面部１１３と、屋外側の見付け面である屋外端面部１１４と、上面部１１２から屋外端面部１１４にかけて切り欠かれて下方（見付け方向外側）に後退する段差部１１５とを有して形成されている。段差部１１５は、上面部１１２と略直交して交差する立下り面１１５Ａと、屋外端面部１１４から略水平に屋内側に延びて立下り面１１５Ａに連続する平坦面１１５Ｂとを有して（第１形態として）形成されている。そして、額縁材１１は、屋外端面部１１４を下枠３２のアングル部３２２の屋内側端縁に当接させた状態で、平坦面１１５Ｂから下方に向かって当該額縁材１１を貫通する固着具であるビス１１Ｄによって床材６に固定されている。
【００２０】
このように固定された額縁材１１において、段差部１１５は、下枠３２のアングル部３２２の角３２３と、下枠１５の屋外側における見付け方向内側端であるベース部１５１の屋外側端縁１５１Ａと、を通る平面（図３に一点鎖線Ａで示す面）よりも下側（見付け方向外側）に位置して設けられている。すなわち、下枠３２の角３２３と下枠１５の屋外側端縁１５１Ａとを結んだ平面から上方に額縁材１１Ｂが突出せず、かつビス１１Ｄの頭が突出しないように段差部１１５が形成されている。なお、上部の額縁材１１Ａにおいても同様に、上枠３１におけるアングル部３１２の角３１３と上枠１４におけるベース部１４１の屋外側端縁とを結んだ平面から下方に額縁材１１Ａが突出しないように段差部１１５が形成されている。また、左右の額縁材１１Ｃにおいても同様に、縦枠３３におけるアングル部３３２の角３３３と縦枠１６における屋外側の突出片部１６４先端縁とを結んだ平面から見付け方向内方に額縁材１１Ｃが突出しないように段差部１１５が形成されている。このような段差部１１５を形成したことで、外窓２の外障子４を開閉操作する際に縦框４３に掛けようとする手が額縁材１１Ｃによって邪魔されにくくでき、操作性を阻害せずに利便性を向上させることができるようになっている。
【００２１】
なお、本実施形態において、二重窓１と内壁Ｗとの関係は、図２に示したものに限らず、図４に示すように、外窓２が設けられる外壁と平行に内壁Ｗが設けられ、この内壁Ｗと直交して縦額縁８が設けられていてもよい。このような内壁Ｗとの納まりであっても、縦額縁８が、その屋内側にケーシング８Ａが取り付けられた特殊形態であって、縦額縁８の屋内側の端面には、内窓１０を支持するための固定部材などが取り付けられない場合がある。このような場合でも、縦額縁８の内側面（見付け方向内側の第１見込み面）に額縁材１１Ｃを固定することで、この額縁材１１Ｃを介して内窓１０が支持できるようになっている。
【００２２】
このような本実施形態によれば、以下のような効果を得ることができる。
すなわち、内装材である上額縁７、床材６および縦額縁８の見付け方向内側の見込み面に額縁材１１を固定し、この額縁材１１に内窓枠１２を固定することで、内窓１０の屋内側への突出量を小さくすることができ、屋内空間の有効利用を図ることができる。さらに、図２に示すように、縦額縁８に近接した位置に内壁Ｗがあったり、図４に示すように、特殊形状の縦額縁８の屋内側端面に固定部材などが取り付けられなかったりした場合でも、そのような外的要因の影響を受けないことから取付上の制約を緩和することができ、各種の外窓２に対して内窓１０を取り付けることができる。また、額縁材１１の屋外側端部に段差部１１５を形成し、屋内側から外窓２を開閉操作する際に額縁材１１が邪魔にならないように段差部１１５を見付け方向外側に後退させたことで、外窓２の操作性を阻害せずに利便性を向上させることができる。
【００２３】
なお、本発明は、前記実施形態に限定されるものではなく、本発明の目的が達成できる他の構成等を含み、以下に示すような変形等も本発明に含まれる。
例えば、前記実施形態においては、第１窓部である外窓２および第２窓部である内窓１０がともに引違い窓である場合を例示したが、本発明の建具としては、第１窓部および第２窓部における面材の開閉形式は特に限定されるものではなく、例えば、第１窓部が片引き窓や開き窓、外倒し窓、上げ下げ窓、縦または横の辷出し窓などであってもよく、内窓１０が片引き窓や引分け窓、内開き窓、内倒し窓、上げ下げ窓などであってもよい。さらに、第１および第２の窓部が開閉不能な面材を有した嵌め殺し窓であるか、第１の窓部が嵌め殺し窓であってもよい。
【００２４】
また、前記実施形態では、外窓２の下枠３２が床材６に固定された掃き出し窓の屋内側に内窓１０を設けて二重窓１を構成したが、本発明の建具としては、掃き出し窓に限らず腰窓であってもよく、この場合には下枠３２の屋内側に固定される内装材が床材６ではなく、窓台や額縁であればよく、これらの窓台や額縁に内窓１０下辺の額縁材１１Ｂが固定されていればよい。さらに、前記実施形態では、床材６に内窓１０下辺の額縁材１１Ｂを固定し、額縁材１１を四周連続して設けたが、これに限らず、下辺の額縁材１１Ｂを省略して上および左右の三方に額縁材１１を設けるとともに、下枠１５を床材６に支持させてもよい。
また、本発明において、第２窓部である内窓１０は、既設の第１窓部である外窓２に対して後から取り付けられるものでもよいし、外窓２および内窓１０がともに新設として建物開口部に設置されるものでもよい。
【００２５】
また、前記実施形態では、額縁材１１としては、立下り面１１５Ａと、この立下り面１１５Ａに連続する平坦面１１５Ｂとを有した第１形態を説明したが、額縁材１１の形態は前記実施形態のものに限らず、以下の図５および図６に示すものであってもよい。
すなわち、図５(Ａ)に示すように、額縁材１１の段差部１１５は、立下り面１１５Ａと平坦面１１５Ｂとを結ぶ曲面１１５Ｃまたは傾斜面を有した第２形態であってもよい。さらに、段差部１１５は、図５(Ｂ)に示すように、第２見込み面である上面部１１２から屋外側に傾斜して平坦面１１５Ｂに連続する傾斜面１１５Ｄを有して形成されていてもよい。
また、図６に示すように、額縁材１１の段差部１１５は、第２見込み面である上面部１１２から屋外端面部１１４に延びる傾斜面１１５Ｅを有した第３形態であってもよく、この場合には、傾斜面１１５Ｅの一部にビス１１Ｄ用の切欠き部１１５Ｆが形成されていればよい。さらに、図６(Ａ)に示すように、額縁材１１の屋内側端部にも上面部１１２から屋内端面部１１３に延びる傾斜面１１５Ｇが形成されていてもよい。
【００２６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２７】
１…二重窓（建具）、２…外窓（第１窓部）、３…外窓枠（第１枠体）、４…外障子（第１面材）、６…床材（内装材）、７…上額縁（内装材）、８…縦額縁（内装材）、１０…内窓（第２窓部）、１１，１１Ａ，１１Ｂ，１１Ｃ…額縁材、１１Ｄ…ビス（固着具）、１２…内窓枠（第２枠体）、１３…内障子（第２面材）、１１２…上面部（第２見込み面）、１１４…屋外端面部（屋外側見付け面）、１１５…段差部、１１５Ａ…立下り面、１１５Ｂ…平坦面、１１５Ｃ…曲面、１１５Ｄ…傾斜面、１１５Ｅ…傾斜面、３１２，３２２，３３２…アングル部（出隅部）、３１３，３２３，３３３…角、Ａ…平面。
【図１】
0005355535.tif 000002
【図２】
0005355535.tif 000003
【図３】
0005355535.tif 000004
【図４】
0005355535.tif 000005
【図５】
0005355535.tif 000006
【図６】
0005355535.tif 000007